(57)【要約】【課題】コンクリート構造物内に埋設した場合に十分な被覆長さを確保できる。軸部の下端部の全外周において膨大部がバランス良く引っ張り力に対し抵抗となる構造にできる。施工作業がしやすい。【解決手段】コンクリート基礎のようなコンクリート構造物５内に埋設するためのアンカーボルト１である。アンカーボルト１の主体を構成する軸部２の長手方向の一端部の外周部に雄ねじ部３を設けると共に軸部の長手方向の他端部に軸部２と一体の膨大部４を形成する。上記膨大部４の全部又は略全部の外周部が軸部２の外周面よりも外方に突出している。【選択図】　　　　図１
2004011118.tif 000002
【特許請求の範囲】
【請求項１】
コンクリート基礎のようなコンクリート構造物内に埋設するためのアンカーボルトであって、アンカーボルトの主体を構成する軸部の長手方向の一端部の外周部に雄ねじ部を設けると共に軸部の長手方向の他端部に軸部と一体の膨大部を形成し、上記膨大部の全部又は略全部の外周部が軸部の外周面よりも外方に突出していることを特徴とするアンカーボルト。
【発明の詳細な説明】
【０００１】
【発明の属する技術分野】
本発明は、コンクリート基礎のようなコンクリート構造物内に埋設するためのアンカーボルトに関するものである。
【０００２】
【従来の技術】
コンクリート基礎のようなコンクリート構造物５内に埋設するためのアンカーボルト１は、従来図４に示すように、アンカーボルト１の主体を構成する軸部２の長手方向の一端部の外周部に雄ねじ部３を設けると共に軸部２の長手方向の他端部を折り曲げて折り曲げ部６を形成したもので、全体がＪ字状をしていた。
【０００３】
このＪ字状をした従来のアンカーボルト１は、折り曲げ部６の大きさが上方からの引っ張り力に対してアンカーボルト１としての引っ張り強度に大きな役割を果たしており、このため、アンカーボルト１の引っ張り強度を大きくしようとする場合、折り曲げ部６を大きくするようにしている。
【０００４】
しかしながら、折り曲げ部６を大きくすると、折り曲げ部６の端がコンクリート基礎のようなコンクリート構造物５の外面に近づきすぎて十分なコンクリートの被覆長さを取ることができない場合があって、コンクリート構造物５内に埋設したアンカーボルト１の腐食の原因となっていた。
【０００５】
また、軸部２の長手方向の他端部を折り曲げて折り曲げ部６を形成する従来のアンカーボルト１においては、軸部２の下端部の片側にのみ上方への引っ張り力が作用した際の抵抗となる折り曲げ部６が存在することになり、上方への引っ張り力が作用した際に軸部２の下端部の全外周において折り曲げ部６がバランス良く引っ張り力に対して抵抗となる構造となっていなかった。
【０００６】
更に、Ｊ字状をしたアンカーボルト１は施工の際に下端部の折り曲げ部６が邪魔になって作業し難いという問題があった。例えば、コンクリート基礎を形成する際、主筋、帯筋、つなぎ筋等を用いて配筋をし、更に、この基礎用の配筋をした後に、アンカーボルト１を基礎用の配筋に囲まれた部分に配置するのであるが、折り曲げ部６が邪魔になって配筋に囲まれた中にアンカーボルト１を入れる作業がしずらいものとなっている。
【０００７】
【発明が解決しようとする課題】
本発明は上記の点に鑑みてなされたものであり、コンクリート構造物内に埋設した場合に十分な被覆長さを確保でき、また、軸部の下端部の全外周において膨大部がバランス良く引っ張り力に対し抵抗となる構造にでき、また、施工作業がしやすいアンカーボルトを提供することを課題とするものである。
【０００８】
【課題を解決するための手段】
上記課題を解決するために本発明に係るアンカーボルトは、コンクリート基礎のようなコンクリート構造物５内に埋設するためのアンカーボルト１であって、アンカーボルト１の主体を構成する軸部２の長手方向の一端部の外周部に雄ねじ部３を設けると共に軸部の長手方向の他端部に軸部２と一体の膨大部４を形成し、上記膨大部４の全部又は略全部の外周部が軸部２の外周面よりも外方に突出していることを特徴とするものである。
【０００９】
このような構成とすることで、従来のＪ字状をしたアンカーボルト１のように、軸部２の下端部の片側に大きく折り曲げ部６が突出するというようなことがなく、したがって、コンクリート構造物５内に埋設した場合にコンクリート構造物５の外面とアンカーボルト１の埋設部分との間に十分な長さを確保できて、十分なコンクリートの被覆長さを確保できるものである。また、膨大部４の全部又は略全部の外周部が軸部２の外周面よりも外方に突出していることで、軸部２の下端部の全外周において膨大部４がバランス良く引っ張り力に対し抵抗となる構造にできるものである。また、従来のＪ字状をしたアンカーボルト１のように、軸部２の下端部の片側に大きく突出した折り曲げ部６が存在しないので、取り扱いがし易く、施工の作業性が良いものである。
【００１０】
【発明の実施の形態】
以下、本発明を添付図面に示す実施形態に基づいて説明する。
【００１１】
図１には本発明のコンクリート基礎のようなコンクリート構造物５内に埋設するためのアンカーボルト１が示してある。
【００１２】
アンカーボルト１は、アンカーボルト１の主体を構成する軸部２の長手方向の一端部の外周部に雄ねじ部３を設けると共に軸部２の長手方向の他端部に軸部２と一体の膨大部４を形成して構成してある。ここで、膨大部４の全部又は略全部の外周部が軸部２の外周面よりも外方に突出している。言い換えれば、膨大部４は軸部２の長手方向の他端部の全外周又は略全外周に対して外方に突出している構造となっている。
【００１３】
アンカーボルト１は棒鋼７を加工して形成するもので、例えば次のようにして製造する。すなわち、図２（ａ）のように棒鋼７を目的とする長さに切断して軸部２を形成し、次に、図２（ｂ）のように軸部２の端部に予備据込み・軸部絞りを行い、金型により徐々に加工していって図２（ｃ）のように軸部２の端部に膨大部４を形成するものである。このように軸部２の長手方向の端部（他端部）に鋳造により軸部２と一体に膨大部４を形成する。一方、軸部２の長手方向の一端部には従来から公知の雄ねじ形成と同様の方法で外周面に雄ねじ部３を形成するものである。
【００１４】
上記のようなアンカーボルト１は、長手方向の一端部の雄ねじ部３を形成した部分を除いてコンクリート構造物５内に埋設するものであり、アンカーボルト１のコンクリート構造物５から突出した部分に設けた雄ねじ部３を利用して他の部材を取付けることで、他の部材とコンクリート構造物５とをアンカーボルト１を介して連結するものとして使用される。
【００１５】
ここで、例えばコンクリート構造物５としてコンクリート基礎５ａに本発明のアンカーボルト１を埋設した例、及び、従来の下端部に折り曲げ部６を有するアンカーボルト１を埋設した例を図３（ａ）（ｂ）に示す。図３（ａ）のように、コンクリート基礎５ａの巾方向の中間位置にアンカーボルト１を埋設したとすると、膨大部４とコンクリート基礎５ａの外面との間の長さはＭとなる。一方、図３（ｂ）のように、従来の下端部に折り曲げ部６を有するアンカーボルト１をコンクリート基礎５ａの巾方向の中間位置に埋設したとすると、折り曲げ部６とコンクリート基礎５ａの外面とのあいだの長さはＮとなる。この図３（ａ）（ｂ）から明らかなように、Ｍ＞Ｎであり、本発明のアンカーボルト１を用いると、コンクリート構造物５内に埋設した場合に十分なコンクリート構造物５の外面とアンカーボルト１の埋設部分との間に十分な長さを確保できて、十分なコンクリートの被覆長さを確保できることになる。
【００１６】
また、軸部１の下端部に一体に形成した膨大部４は、膨大部４の全部又は略全部の外周部が軸部２の外周面よりも外方に突出しているので、図３（ａ）においてアンカーボルト１に矢印に示す上方への引っ張り力が作用した場合、アンカーボルト１の軸部２の下端部の全外周において膨大部４がバランス良く引っ張り力に対し抵抗となるものである。また、従来のＪ字状をしたアンカーボルト１のように、軸部２の下端部の片側に大きく突出した折り曲げ部６が存在しないので、取り扱いがし易く、施工の作業性も良くなるものである。
【００１７】
【発明の効果】
上記のように本発明の請求項１記載の発明にあっては、アンカーボルトの主体を構成する軸部の長手方向の一端部の外周部に雄ねじ部を設けると共に軸部の長手方向の他端部に軸部と一体の膨大部を形成し、上記膨大部の全部又は略全部の外周部が軸部の外周面よりも外方に突出しているので、従来のＪ字状をしたアンカーボルトに比べてコンクリート構造物内に埋設した場合にコンクリート構造物の外面とアンカーボルトの埋設部分との間に十分な長さを確保できて十分なコンクリートの被覆長さを確保でき、この結果、従来に比べてアンカーボルトのコンクリート構造物内に埋設した部分が腐食し難いものであり、また、膨大部の全部又は略全部の外周部が軸部の外周面よりも外方に突出していることで、軸部の下端部の全外周において膨大部がバランス良く引っ張り力に対し抵抗となる構造にできるものであり、また、従来のＪ字状をしたアンカーボルトのように、軸部の下端部の片側に大きく突出した折り曲げ部が存在しないので、取り扱いがし易く、施工の作業性が良いものである。
【図面の簡単な説明】
【図１】本発明のアンカーボルトを示し、（ａ）は正面図であり、（ｂ）は斜視図である。
【図２】（ａ）（ｂ）（ｃ）は同上のアンカーボルトの膨大部の製造順序を示す説明図である。
【図３】（ａ）は本発明のアンカーボルトの施工例を示す断面図であり、（ｂ）は従来例のアンカーボルトの施工例を示す断面図である。
【図４】従来例のアンカーボルトを示す正面図である。
【符号の説明】
１　アンカーボルト
２　軸部
３　雄ねじ部
４　膨大部
５　コンクリート構造物
【図１】
2004011118.tif 000003
【図２】
2004011118.tif 000004
【図３】
2004011118.tif 000005
【図４】
2004011118.tif 000006